(57)【要約】【課題】  大小のシャボン玉の生成、充填する気体の異なるシャボン玉の生成、シャボン玉の生成速度等を一台の機械で実現可能とする。【解決手段】  シャボン玉発発生機１と、このシャボン玉発生機１に対して異なる溶液Ａ〜Ｃを選択的に供給する溶液供給部２と、シャボン玉内に充填する気体、シャボン玉内に充填する微粉等を選択的に供給する添加剤供給部３とを有し、シャボン玉発生機１にシャボン玉の大小を調節する手段１ａが配置され、制御装置４はシャボン玉発生機１に対するシャボン玉溶液、シャボン玉に充填する添加材を適宜選択することにより、スモーク、ヘリウム等の所望の気体や、光に反射する微粉等を充填したシャボン玉を、シャボン玉の径に対して適正な粘性を有するシャボン玉溶液を選択することによって所望の大きさのシャボン玉として生成する。【選択図】    図１
0003169614.tif 000002
【実用新案登録請求の範囲】
【請求項１】
シャボン玉を連続的に生成する装置であって、シャボン玉溶液によりシャボン玉を生成するシャボン玉発生機と、このシャボン玉発生機に対して１種類以上のシャボン玉溶液を供給する溶液供給部と、シャボン玉生成に必要な気体に対して添加する１種類以上の添加材を供給する添加剤供給部とを有することを特徴とするシャボン玉生成装置。
【請求項２】
シャボン玉発生機、シャボン玉溶液の供給経路、添加材の供給経路に対して制御装置が接続され、制御装置によりシャボン玉発生機の運転、シャボン玉溶液の選択、添加材の選択が当該制御装置により自動制御されることを特徴とする請求項１記載のシャボン玉生成装置。
【請求項３】
添加材供給部には添加材として１種以上の気体、及び１種以上の粉体或いは薄片の微細片が充填されていることを特徴とする請求項１又は２記載のシャボン玉生成装置。
【請求項４】
溶液供給部には粘性の異なるシャボン玉溶液が複数充填されていることを特徴とする請求項１乃至３の何れかに記載のシャボン玉生成装置。
【請求項５】
溶液供給部にはシャボン玉溶液の原液と、この原液に添加する１以上の溶媒と、原液に対して溶液を添加する手段が設けられ、原液に対して選択した溶媒を所定量添加することにより所望の粘性を有するシャボン玉溶液を生成するよう構成したことを特徴とする請求項１乃至４の何れかに記載のシャボン玉生成装置。
【請求項６】
溶媒は複数充填され、かつ各溶媒には異なる色素か添加されていることを特徴とする請求項５記載のシャボン玉生成装置。
【考案の詳細な説明】
【技術分野】
【０００１】
本考案はシャボン玉を発生させるシャボン玉生成装置に係り、特にシャボン玉の色彩、大きさ等を適宜変更できるシャボン玉の生成装置に関する。
【背景技術】
【０００２】
シャボン玉を生成する機械的な装置は下記特許文献に示されるように従来から幾つか提案されている。
【特許文献１】特開２０１０−１５８３４９
【特許文献２】実開平０６−０５７３９９
【特許文献３】実開平０１−１１０７９８
【０００３】
これら各特許文献に記載の発明、考案は基本的にはシャボン玉生成のための個々の技術的手段に関するものである。より具体的にはシャボン玉を間欠的に高く浮遊させるための技術的手段（特許文献１）、シャボン玉を連続的に多量に生成させるための技術的手段（特許文献２）、装置全体をコンパクトに構成する手段（特許文献３）等、何れもシャボン玉生成に関する個別的な技術的解決手段を示している。
【考案の開示】
【考案が解決しようとする課題】
【０００４】
上記各特許文献記載の技術的手段は何れも、シャボン玉生成に関しては有益な技術的解決手段ではあるが、本来シャボン玉はその生成や浮遊状態を見て楽しむ娯楽性にその主点があり、その意味において前記技術的手段はいずれもこの娯楽性を高めるための一つの手段としての意味合いを有するものであり、シャボン玉の娯楽性を全体的かつ直接に高めるよう構成した装置とは言い難い。
【課題を解決するための手段】
【０００５】
本考案は上記の点に鑑み構成された装置であって、シャボン玉の生成状態及びその浮遊状態等により高い娯楽性を与え、或いはシャボン玉の生成・浮遊をよりイベント性の高いものとすることが可能なシャボン玉生成装置である。
即ち本考案はシャボン玉を発生させるシャボン玉発生機と、このシャボン玉発生機に対してシャボン玉を生成する一種類以上の溶液を供給する溶液供給部と、シャボン玉に対して一種類以上の気体或いはシャボン玉内に対して微粉等の微細な固体を供給する添加材供給部とを有するシャボン玉発生成置であって、要すればこれら各部を自動的に制御する制御装置を接続したシャボン玉生成装置であることを特徴とする。
【考案の効果】
【０００６】
上記構成とすることにより、シャボン玉発生機を制御することによってシャボン玉の大きさや単位時間内のシャボン玉発生数を制御でき、濃度の異なる溶液や溶液の色を選択することにより割れにくい大きなシャボン玉や色の異なるシャボン玉を発生させ、かつ添加材供給部を制御することによりシャボン玉内の気体を通常の空気に変えてヘリウム等としてシャボン玉の浮遊状態を変えたり、更にはシャボン玉内に微細な粉体或いは煙を入れてシャボン玉全体の色を変えたり、或いはシャボン玉が割れた時にシャボン玉内の気体が視認できる等、シャボン玉の発生時、浮遊時、割れた時の全てに対して人の関心を引くイベント性のシャボン玉演出が一台の装置で可能となる。
【実施例１】
【０００７】
以下本考案の実施例を図１を参考に具体的に説明する。
本考案に係る装置はシャボン玉発生機１、溶液供給部２、添加材供給部３、これら各部を制御する制御装置４とから構成されている。
【０００８】
このうち、先ずシャボン玉発生機１について説明する。シャボン玉発生機１は前記特許文献にあるように、各種の構成が提案されているが、本シャボン玉生成装置に用いるシャボン玉発生機は下記の機能を有するものであれば、何れの形式のものであっても利用可能である。
即ち、後述する溶液供給部２から供給される溶液にを用い、かつ送風装置５から供給される気体によりシャボン玉を発生させる機能、このシャボン玉の大小を調節することができる機能を有する装置であれば何れの構成を採用するシャボン玉発生機であっても使用可能である。
【０００９】
次に、溶液供給部２は１種類以上の性質の異なるシャボン玉生成用の溶液が充填されている。例えば溶液Ａは大径のシャボン玉を発生させるための粘性の高い溶液とし、溶液Ｃは小径のシャボン玉を発生させるための粘性の低い溶液とし、溶液Ｂは両溶液Ａ、Ｃの中間の粘性を有する溶液とする等である。またこれらの粘性の相違に加えて、各溶液に異なる着色をしてもよい。
【００１０】
添加材供給部３は、図示の構成では添加材ユニットとして一体に構成されている。
本実例に於ける添加材とは、シャボン玉内に充填される気体、或いはこの気体に対して添加される粉体等、シャボン玉に対して充填される材料を意味する。
【００１１】
例えば、気体Ａは通常の空気、気体Ｂは煙状の空気（以下「スモーク」とする）、気体Ｃはヘリウムや水素等空気よりも軽い気体とする等である。またスモークである気体Ｂはシャボン玉発生機１に対して従来型のスモーク発生装置を接続することにより当該シャボン玉発生機１に対してスモークを供給するように構成することも可能である。
【００１２】
次に、粉体として分類される「添加材」の語は微小な粉末の外、アルミ箔、着色セロファン等のフィルム状のものや紙等を微小に切断した微細な破片類も含む語として使用するものとする。この前提において例えば粉体Ａは微小なアルミ粉、粉体Ｂは着色セロファンの微細破片、粉体Ｃは着色した折紙の微細破片とする。
【００１３】
４は制御装置であって、上記シャボン玉発生機１、溶液供給部２、添加材供給部３を特定のプログラムに基づいて適宜制御する装置であって、通常パーソナルコンピュータ程度の演算能力を有する演算装置が用いられる。
【００１４】
上記の構成において、図示の構成ではシャボン玉発生機１、溶液供給部２、添加材供給部３は何れも個別の構成として示しているが、全てを一体的に一つの装置として構成することはもとより可能である。また必要であればこれらの一体化した装置に対して制御装置４も一体化させることも可能である。
【００１５】
次に上記装置の使用状態の一例を示す。
例えばスモークを注入した大型のシャボン玉を連続的に飛ばすコンセンプトの場合には、シャボン玉発生機１の大小調節手段１ａを大型シャボン玉発生用にセットする。大小調節手段１ａとしては従来の構成が利用可能であるが、例えば中央に回転軸を有する円盤の円周方向に複数の円形開口を形成した回転円盤で溶液に開口部を浸漬して溶液の膜を形成し、かつ気体吹き付け部に回転した開口に対して所定の気体を吹き付けてこの膜をシャボン玉にして吹き出す等の従来構成が利用可能である。シャボン玉の大小はこの回転円盤を交換して開口の大小を決定して行う。
【００１６】
上記シャボン玉形成過程において送風装置５から送風される空気に対して気体Ｂとしてスモークを添加すると、大型でかつ内部が白濁したシャボン玉が生成され、かつシャボン玉が割れた場合には、内部のスモークが外部に流出し、シャボン玉が割れる際のエンタテイメント性も優れたものとなる。
【００１７】
また上記空気に加えて、或いは空気に変えて気体Ｃとしてヘリウムを供給すればシャボン玉発生機１から排出されたシャボン玉は落下せずに上昇する。また粉体Ａとしてアルミ粉を添加すると、シャボン玉内のアルミ粉が光に反射して、シャボン玉内がキラキラと輝き、エンタテイメント性を高めることができる。このように各種コンセプトに基づいてシャボン玉発生機１、溶液供給部２、添加材供給部３、送風機５を適宜制御することにより所望のシャボン玉を連続的に生成することが可能となる。なお、溶液の供給の制御は溶液供給部２からシャボン玉発生機１に溶液を供給する管路に設けた弁の開閉により、また添加材の供給の制御はシャボン玉発生機１に対して添加材を供給する管路或いはダクトに設けた弁或いはダンパを開閉することにり自由に制御することができる。
【実施例２】
【００１８】
図２は第２の実施例を示す。
この実施例では特にシャボン玉を生成するためのシャボン玉溶液の調整を微細に行えるよう構成されている。
【００１９】
図示の構成では溶液供給部２は液体を混合調整することが可能な溶液ユニットとして構成されている。
図中符号Ｌ１は原液であって、後述する溶媒（通常は水）を添加することにより所望の粘性を有するシャボン玉溶液Ｌ２を生成するものである。符号Ｗで示すものは溶媒であって、Ｗ１は無色の溶媒、Ｗ２は例えば青色の色素を添加した色Ａの触媒、Ｗ３は例えば赤色の色素を添加した色Ｂの触媒、Ｗ４は例えば黄色の色素を添加した色Ｃの触媒である。      
【００２０】
制御装置４は溶液ユニット２の原液Ｌ１と、原液Ｌ１に添加する溶媒Ｗ１からＷ４の中から所望の色彩（溶媒Ｗ１を添加した場合の無色も含めて）の溶媒を選択し、かつ所定量の原液Ｌ１に対してこの選択した溶媒Ｗの添加量を調節することにより所望の粘性でかつ所望の色彩のシャボン玉溶液Ｌ２を生成する。なお、添加する溶媒Ｗは一種類に限ることはなく、青色の溶媒Ｗ２と黄色の溶媒Ｗ４とを添加することにより緑色の溶媒を生成する等の方法も実施可能である。所望の色彩と粘性を有するシャボン玉溶液Ｌ２はシャボン玉発生機１に供給される。
【００２１】
一方、シャボン玉発生機１には速度調節手段１ｂが設けられている。この速度調節手段１ｂはシャボン玉発生機１から単位時間に排出されるシャボン玉の数を調節するものであり、大小調節手段１ａが前述の回転型の円盤である場合にはこの円盤の回転速度を調整することにより達成することができる。
【００２２】
次に前記実施例１と同様、シャボン玉に対して添加する材料も添加材ユニット３で示されるように気体、粉体の何れも選択できる。符号６は照明装置であり、かつ１０は音楽発生装置である。両装置６、１０はいずれもシャボン玉の生成、飛散を印象付ける補助手段として設けられるものであり、特に照明装置は夜間にシャボン玉を生成する際に効果的である。
【００２３】
例えば溶液ユニット２から供給されたシャボン玉溶液Ｌ２による所定の色彩のシャボン玉に対して、添加材ユニット３から供給される気体或いは粉体を変更しかつこのシャボン玉に対して所定の照明を当てる。例えばシャボン玉に反射性を有するフィルムの微細片を注入し、照明をこのシャボン玉に当てればシャボン玉内でこの微細片が反射して魅力的なシャボン玉となり、かつシャボン玉が破裂した場合にはこの微細片が照明に反射しながらヒラヒラと舞落ちたり、スモークを注入した場合には照明によりシャボン玉に陰影が生じてシャボン玉の存在感が増す等の色々の効果が生じる。
【００２４】
また上記シャボン玉及びこのシャボン玉に対する照明方法の選択に加えて、この選択に対応する音楽を音楽発生装置１０から流すことにより、シャボン玉の生成、飛散の効果をより高めることが可能となる。
【００２５】
図３及び図４は上記の各実施例に使用可能なシャボン玉発生機の構成の一例を示すものである。
図３は図４で示す前カバー１１を取り去った状態のシャボン玉発生機の正面を示す。
先ず、主としてこの図３において、符号７はシャボン玉発生機の本体を示し、図示の構成では把手７ａを使って一人で持ち運ぶことが可能な大きさに形成されている。８は本体７内に収納されたシャボン玉発生用の回転盤であって、その中心において電動モータ（図示せず）により回転する回転軸９と接続し、当該回転軸９を介して所定の速度で回転するよう構成されている。また本体７の底部はシャボン玉溶液Ｌ２が滞留するシャボン玉液溜が形成されている。
【００２６】
前記回転盤８にはその円周方向に複数の開口８ａが形成され、回転盤８の回転により、例えば図示の矢印Ｘ方向に回転下降することによってシャボン玉液溜に開口８ａが位置してこの開口８ａがシャボン玉溶液Ｌ２に浸漬し、この状態でＹ方向に回転することによって、シャボン玉液溜を通過した各開口８ａにはシャボン玉溶液Ｌ２の膜が形成され、更にこの状態で上端の位置で気体噴出口７ｂ（図４参照）から膜に対して噴出される気体によりこの気体を内包したシャボン玉が順次生成され飛ばされる。
【００２７】
また前記各実施例にあるとおり、シャボン玉液や添加材を適宜選択することにより所望のシャボン玉を形成することができる。なお図示の構成では異なる開口径を有する回転盤８を適宜交換することによりシャボン玉の大きさを変更する構成となっているが、一枚の回転盤８に形成した開口８ａの径を大径から小径まで変化させ、一枚の回転盤８で異なる径のシャボン玉を生成するよう構成することも可能である。但しこの場合には開口の径に対応して気体の噴出量や速度を調整する必要があるため、制御装置４により回転盤８の回転確度と、気体の噴出量、噴出速度を自動制御する必要がある。
【００２８】
図示の構成では添加材ユニット３を装置本体７の背後に配置してシャボン玉発生機１と添加材供給部３のみを一体化した構成が示されているが、溶液供給部２も一体化した装置は当然構成可能である。
【産業上の利用可能性】
【００２９】
以上本考案に係る装置を、比較的少人数で持ち運び可能なコンパクトな装置として構成した場合を例に説明したが、シャボン玉発生機は一台である必要はなく、複数のシャボン玉発生機を設置し、かつこれら各シャボン玉発生機に対して配管やダクトで溶液供給部や添加剤供給部を接続し、各シャボン玉発生機では異なる色や大きさ、或いは充填する気体、微粉等を適宜選択使用することにより大規模なシャボン玉発生システムを構成することも可能である。
【図面の簡単な説明】
【００３０】
【図１】本考案の第１の実施例を示すシャボン玉生成装置のブロック図である。
【図２】本考案の第２の実施例を示すシャボン生成生装置のブロック図である。
【図３】本考案のシャボン玉生成装置に用いるシャボン玉発生機の一構成例を示すものであって、前カバーを外したシャボン玉発生機の正面図である。
【図４】図３に示すシャボン玉発生機の側面図である。
【符号の説明】
【００３１】
１  シャボン玉発生機
１ａ  大小調節手段
１ｂ  速度調節手段
２  溶液供給部
３  添加剤供給部
４  制御装置
５  送風装置
６  照明装置
７  シャボン玉発生機本体
８  回転盤
８ａ  （回転盤８の）開口
９  回転軸
１０  音楽発生装置
１１  前カバー
Ｌ１  原液
Ｌ２  シャボン玉溶液
Ｗ１、Ｗ２、Ｗ３、Ｗ４  溶媒
【図１】
0003169614.tif 000003
【図２】
0003169614.tif 000004
【図３】
0003169614.tif 000005
【図４】
0003169614.tif 000006
【手続補正書】
【提出日】平成23年6月3日(2011.6.3)
【手続補正１】
【補正対象書類名】実用新案登録請求の範囲
【補正対象項目名】全文
【補正方法】変更
【補正の内容】
【実用新案登録請求の範囲】
【請求項１】
シャボン玉を連続的に生成する装置であって、円周方向にシャボン玉発生用の開口を複数有する回転盤と、回転盤下部に位置しかつ前記複数の開口の一部が浸漬するシャボン玉溶液溜と、前記開口の背後から気体を噴出してシャボン玉を形成する手段とを有するシャボン玉発生機と、１種類以上のシャボン玉溶液を個々に貯留する容器を有し、シャボン玉発生機に対して配管を介してこれらのシャボン玉溶液を選択的に供給する溶液供給部と、１種類以上の添加材を個々に貯留する容器を有し、かつ選択されたこれらの添加材を配管を介してシャボン玉形成用の気体経路に対して供給する添加剤供給部とを有することを特徴とするシャボン玉生成装置。
【請求項２】
シャボン玉発生機、シャボン玉溶液の供給経路、添加材の供給経路に対して制御装置が接続され、制御装置によりシャボン玉発生機の運転、シャボン玉溶液の選択、添加材の選択が当該制御装置により自動制御されることを特徴とする請求項１記載のシャボン玉生成装置。
【請求項３】
添加材供給部には添加材として１種以上の気体、及び１種以上の粉体或いは薄片の微細片が充填されていることを特徴とする請求項１又は２記載のシャボン玉生成装置。
【請求項４】
溶液供給部には粘性の異なるシャボン玉溶液が複数充填されていることを特徴とする請求項１乃至３の何れかに記載のシャボン玉生成装置。
【請求項５】
溶液供給部にはシャボン玉溶液の原液と、この原液に添加する１以上の溶媒と、原液に対して溶液を添加する手段が設けられ、原液に対して選択した溶媒を所定量添加することにより所望の粘性を有するシャボン玉溶液を生成するよう構成したことを特徴とする請求項１乃至４の何れかに記載のシャボン玉生成装置。
【請求項６】
溶媒は複数充填され、かつ各溶媒には異なる色素が添加されていることを特徴とする請求項５記載のシャボン玉生成装置。